(57)【特許請求の範囲】
【請求項１】
足場設計図面又はその図面情報（ＣＡＤデータ）が存在しない仮設足場工事について、工事対象となる構造体の概要又は図面と足場の仕様又は構設条件から、コンピュータ処理により資材及び工費等を積算するようにした仮設足場工事のための資材・工費等積算方法において、
積算根拠、積算履歴及び積算結果を客観的に検証可能で、仕様等の条件変更にともなう見積変更についても迅速対応可能とする仮設足場工事のための資材・工費等積算方法であって、
工事を特定可能に階層的に分類した仮設足場の種類を選択入力し、
選定した仮設足場の仕様又は構設条件を設定入力し、
労働安全衛生規則の定めに従って演算処理することにより、資材種別とその数量をそれぞれ割り出し、
積算項目について、資材単価データファイルから抽出した資材単価とその数量に基づき資材を積算処理し、および／または歩掛表データファイルから抽出した当該工事における資材ごとの歩掛りとその数量に基づき工費等を積算処理し、
前記積算項目に係る少なくとも労務費、資材費、資材重量、資材リスト、山積み、工程表及び仮設面積をそれぞれ編集し表示・出力する
ことを特徴とする仮設足場工事のための資材・工費等積算方法。
【請求項２】
積算過程で扱う数値データの一部をＣＡＤ装置による足場図面作成のための入力源として使用するようにした請求項１又は２記載の仮設足場工事のための資材・工費等積算方法。
【請求項３】
足場設計図面又はその図面情報（ＣＡＤデータ）が存在しない仮設足場工事について、工事対象となる構造体の概要又は図面と足場の仕様又は構設条件に基づき、コンピュータ処理により資材及び工費等を積算するようにした仮設足場工事のための資材・工費等積算装置において、
積算根拠、積算履歴及び積算結果を客観的に検証可能で、仕様等の条件変更にともなう見積変更についても迅速対応可能とする仮設足場工事のための資材・工費等積算装置であって、
工事を特定可能に階層的に分類した仮設足場の種類を選択入力するための仮設足場選定手段と、
選定した仮設足場の仕様又は構設条件を設定入力するための仕様条件設定手段と、
労働安全衛生規則の定めに従って演算処理することにより資材種別とその数量をそれぞれ割り出すための資材解析手段と、
資材単価データファイルと、
仮設足場の種類別かつ資材別の歩掛りを数量化した歩掛表データファイルと、
積算項目について、前記資材単価データファイルから抽出した資材単価とその数量に基づき資材を積算処理し、および／または前記歩掛表データファイルから抽出した当該工事における資材ごとの歩掛りとその数量に基づき工費等を積算処理するための資材及び工費等積算手段と、
前記積算項目に係る少なくとも労務費、資材費、資材重量、資材リスト、山積み、工程表及び仮設面積をそれぞれ編集し表示・出力するための積算項目表示手段と、
積算結果を更新可能に格納するための外部記憶手段を具備し、
前記資材及び工費等積算手段における資材の積算処理が、予算・資材単価（見積）、建設物価・資材単価（実行予算）及び購入・資材単価（仕入れ）からなる単価の種類を選択入力するとともに、仮設期間等を設定入力し、資材単価データファイルから抽出した資材単価と、資材解析手段により算出した資材数量に基づき資材積算し、前記単価の種類に応じて仮設面積及び資材重量を含む資材単価データを生成するものであり、
前記資材及び工費等積算手段における工費等の積算処理が、歩掛表データファイルから抽出した当該工事における資材ごとの歩掛りと、資材解析手段により算出した資材数量に基づき労務費を含む工費等を積算し、予算（実行予算）、建設物価（見積）及び購入（仕入れ）の種類に応じて労務費、山積み及び工程表を含む工費データ等を生成するものである
ことを特徴とする仮設足場工事のための資材・工費等積算装置。
【請求項４】
積算過程で扱う数値データの一部をＣＡＤ装置による足場図面作成のための入力源とするために、請求項３記載の足場工事のための資材及び工費等積算装置にインタフェースを介してＣＡＤ装置を接続してなり、データ伝送するようにしたことを特徴とする仮設足場工事のための資材・工費等積算装置。
【請求項５】
足場設計図面又はその図面情報（ＣＡＤデータ）が存在しない仮設足場工事について、工事対象となる構造体の概要又は図面と足場の仕様又は構設条件に基づき、コンピュータ処理により資材及び工費等を積算するようにした仮設足場工事のための資材・工費等積算方法において、
積算根拠、積算履歴及び積算結果を客観的に検証可能で、仕様等の条件変更にともなう見積変更についても迅速対応可能とする仮設足場工事のための資材・工費等積算処理プログラムを記録したコンピュータ読み取り可能な記録媒体であって、
コンピュータに、
工事を特定可能に階層的に分類した仮設足場の種類を選択入力する手順と、
選定した仮設足場の仕様又は構設条件を設定入力する手順と、
労働衛生安全規則の定めに従って演算処理することにより、資材種別とその数量をそれぞれ割り出す手順と、
積算項目について、資材単価データファイルから抽出した資材単価とその数量に基づき資材を積算処理し、および／または歩掛表データファイルから抽出した当該工事における資材ごとの歩掛りとその数量に基づき工費等を積算処理する手順と、
前記積算項目に係る少なくとも労務費、資材費、資材重量、資材リスト、山積み、工程表及び仮設面積をそれぞれ編集し表示・出力する手順                  を実行させることを特徴とする資材・工費等積算処理プログラムを記録したコンピュータ読み取り可能な記録媒体。
【請求項６】
足場設計図面又はその図面情報（ＣＡＤデータ）が存在しない仮設足場工事について、工事対象となる構造体の概要又は図面と足場の仕様又は構設条件に基づき、コンピュータ処理により資材及び工費等を積算するようにした仮設足場工事のための資材・工費等積算装置において、
積算根拠、積算履歴及び積算結果を客観的に検証可能で、仕様等の条件変更にともなう見積変更についても迅速対応可能とする仮設足場工事のための資材・工費等積算処理プログラムを記録したコンピュータ読み取り可能な記録媒体であって、
コンピュータを、
工事を特定可能に階層的に分類した仮設足場の種類を選択入力するための仮設足場選定手段と、
選定した仮設足場の仕様又は構設条件を設定入力するための仕様条件設定手段と、
所定の法規の定めに従って演算処理することにより資材種別とその数量をそれぞれ割り出すための資材解析手段と、
資材単価データファイルと、
仮設足場の種類別かつ資材別の歩掛りを数量化した歩掛表データファイルと、
積算項目について、前記資材単価データファイルから抽出した資材単価とその数量に基づき資材を積算処理し、および／または前記歩掛表データファイルから抽出した当該工事における資材ごとの歩掛りとその数量に基づき工費等を積算処理するための資材及び工費等積算手段と、
前記積算項目に係る少なくとも労務費、資材費、資材重量、資材リスト、山積み、工程表及び仮設面積をそれぞれ編集し表示・出力するための積算項目表示手段と、
積算結果を更新可能に格納するための外部記憶手段として機能させるとともに、前記資材及び工費等積算手段における資材の積算処理が、予算・資材単価（見積）、建設物価・資材単価（実行予算）及び購入・資材単価（仕入れ）からなる単価の種類を選択入力するとともに、仮設期間等を設定入力し、資材単価データファイルから抽出した資材単価と、資材解析手段により算出した資材数量に基づき資材積算し、前記単価の種類に応じて仮設面積及び資材重量を含む資材単価データを生成する機能を有し、
前記資材及び工費等積算手段における工費等の積算処理が、歩掛表データファイルから抽出した当該工事における資材ごとの歩掛りと、資材解析手段により算出した資材数量に基づき労務費を含む工費等を積算し、予算（実行予算）、建設物価（見積）及び購入（仕入れ）の種類に応じて労務費、山積み及び工程表を含む工費データ等を生成する機能を有したものである
ことを特徴とする資材・工費等積算処理プログラムを記録したコンピュータ読み取り可能な記録媒体。
【発明の詳細な説明】
【０００１】
【発明の属する技術分野】
本発明は、コンピュータ処理により、資材数量を基準として資材及び工費等を積算するようにした仮設足場工事のための資材・工費等積算方法及び装置並びに資材・工費等積算処理プログラムを記録したコンピュータ読み取り可能な記録媒体に関する。
【０００２】
【従来の技術】
従来より、仮設足場工事において、仮設・解体労務費や資材費を積算する場合は、仮設面積〔巾×長さ（又は高さ）〕に対して、仮設・解体歩掛り（作業能率）を勘案する（乗じる）という積算方法を用いてきた。
【０００３】
すなわち、積算基準を仮設面積とするものであり、同じ仮設面積であっても、足場構造が違えば、その仕様別歩掛りをもって積算しなければならない。したがって、仕様別歩掛りは、仕様の数とはいえ無数にあることになる。
【０００４】
こうした仕様別歩掛りは、個々の足場構造について、熟練者が経験的（感覚的）に推定することになるので、積算根拠が不明瞭であると同時に場当たり的であり、当然のことながら、各社（各人）でバラツキが生じることは避けられない。また、このバラツキを誤差範囲と許容するわけにはゆかない。
【０００５】
【発明が解決しようとする課題】
こうした状況にありながら、従来的な積算方法（積算基準）を根本的に見直し、積算履歴及び結果を客観的に検証できるような精度の良い（信頼性のある）積算手法の提案はみあたらない。
【０００６】
ここで問題点は明確になっており、明示可能な積算根拠、すなわち資材数量を積算基準とすることである。なお、足場の構築については、労働安全衛生規則があり、この定めに従って資材種別とその数量をそれぞれ割り出す必要がある。
【０００７】
もちろん、こうして積算した労務費を仮設面積で除することにより、単位仮設面積あたりの労務費は容易に算出できる。しかし、この単位仮設面積あたりの労務費は、表現又は単位〔円／ｍ２  〕は従来と同様であっても積算根拠を異にすることはいうまでもない。
【０００８】
ところで、ＣＡＤ装置における図面作成データから資材（部材）積算をおこなうという方向（手順）での積算方法は公知であるが、仮設足場工事の場合、全ての足場図面を描くということは皆無であり、この積算方法が適用されている例は見あたらない。なお、本発明方法は逆手順である。
【０００９】
本発明はこのような事情に鑑みなされたものであって、コンピュータ処理により、資材数量を基準として資材及び工費等を積算するようにした仮設足場工事のための資材・工費等積算方法及び装置並びに記録媒体を提供するものである。
【００１０】
【課題を解決するための手段】
課題を解決するために本発明は、コンピュータ処理により、資材数量を基準として資材及び工費等を積算するようにした仮設足場工事のための資材及び工費等積算方法であって、
仮設足場の種類を選択してその仕様又は構設条件を設定し、
所定の法規の定めに従って資材種別とその数量をそれぞれ割り出し、
積算項目について資材単価データおよび／または歩掛表データを参照して資材数量を基準とする資材及び工費等の積算をおこなう
ことを特徴とするものである。
【００１１】
また、コンピュータ処理により、資材数量を基準として資材及び工費等を積算するようにした仮設足場工事のための資材及び工費等積算装置であって、
工事を特定可能に階層的に分類した仮設足場の種類を選択入力するための仮設足場選定手段と、
選定した仮設足場の仕様又は構設条件を設定入力するための仕様条件設定手段と、
所定の法規の定めに従って演算処理することにより資材種別とその数量をそれぞれ割り出すための資材解析手段と、
資材単価データファイルと、
仮設足場の種類別かつ資材別の歩掛りを数量化した歩掛表データファイルと、
積算項目について、前記資材単価データファイルから抽出した資材単価とその数量に基づき資材を積算処理し、および／または前記歩掛表データファイルから抽出した当該工事における資材ごとの歩掛りとその数量に基づき工費等を積算処理するための資材及び工費等積算手段と、
前記積算項目に係る少なくとも労務費、資材費、資材重量、資材リスト、山積み、工程表及び仮設面積をそれぞれ編集し表示・出力するための積算項目表示手段と、
積算結果を更新可能に格納するための外部記憶手段
を具備したことを特徴とするものである。
【００１２】
また、コンピュータにより仮設足場工事における資材及び工費等を資材数量を基準として積算するための資材・工費等積算処理プログラムを記録したコンピュータ読み取り可能な記録媒体であって、
該資材・工費等積算処理プログラムは、
仮設足場の種類を選択してその仕様又は構設条件を設定し、
所定の法規の定めに従って資材種別とその数量をそれぞれ割り出し、
積算項目について資材単価データおよび／または歩掛表データを参照して資材数量を基準とする資材及び工費等の積算をおこなう
ようにしたことを特徴とするものである。
【００１３】
すなわち、コンピュータに、
工事を特定可能に階層的に分類した仮設足場の種類を選択入力する手順と、
選定した仮設足場の仕様又は構設条件を設定入力する手順と、
所定の法規の定めに従って演算処理することにより、資材種別とその数量をそれぞれ割り出す手順と、
積算項目について、資材単価データファイルから抽出した資材単価とその数量に基づき資材を積算処理し、および／または歩掛表データファイルから抽出した当該工事における資材ごとの歩掛りとその数量に基づき工費等を積算処理する手順と、
前記積算項目に係る少なくとも労務費、資材費、資材重量、資材リスト、山積み、工程表及び仮設面積をそれぞれ編集し表示・出力する手順
を実行させることを特徴とするものである。
【００１４】
【発明の実施の形態】
図１に積算方法のフロー図を示すように、本発明方法の実施の形態は以下▲１▼〜▲６▼の各処理手順からなる。
【００１５】
▲１▼工事を特定可能に階層的に分類した仮設足場の種類を選択入力する。
【００１６】
▲２▼選定した仮設足場の仕様又は構設条件を設定入力する。
【００１７】
▲３▼所定の法規の定めに従って演算処理することにより、資材種別とその数量をそれぞれ割り出す。
【００１８】
▲４▼積算項目について、資材単価データファイルから抽出した資材単価とその数量に基づき資材を積算処理し、および／または歩掛表データファイルから抽出した当該工事における資材ごとの歩掛りとその数量に基づき工費等を積算処理する。
【００１９】
▲５▼積算項目に係る少なくとも労務費、資材費、資材重量、資材別リスト、山積み、工程表及び仮設面積をそれぞれ編集し表示・出力する。
【００２０】
▲６▼必要に応じて、積算過程で扱う数値データの一部をＣＡＤによる足場図面作成のための入力源としてデータ伝送する。
【００２１】
また、図２に積算装置のブロック図を示すように、本発明装置（Ｘ）の実施の形態は、
工事を特定可能に階層的に分類した仮設足場の種類を選択入力するための仮設足場選定手段（１）と、
選定した仮設足場の仕様又は構設条件を設定入力するための仕様条件設定手段（２）と、
所定の法規の定めに従って演算処理することにより資材種別とその数量をそれぞれ割り出すための資材解析手段（３）と、
資材単価データファイル（４）と、
仮設足場の種類別かつ資材別の歩掛りを数量化した歩掛表データファイル（５）と、
積算項目について、前記資材単価データファイル（４）から抽出した資材単価とその数量に基づき資材を積算処理し、および／または前記歩掛表データファイル（５）から抽出した当該工事における資材ごとの歩掛りとその数量に基づき工費等を積算処理するための資材及び工費等積算手段（６）と、
前記積算項目に係る少なくとも労務費、資材費、資材重量、資材リスト、山積み、工程表及び仮設面積をそれぞれ編集し表示・出力するための積算項目表示手段（７）と、
積算結果を更新可能に格納するための外部記憶手段（８）を具備している。
【００２２】
また、インタフェースを介してＣＡＤ装置（９）を接続する場合がある。
【００２３】
ここで、資材及び工費等積算手段（６）における資材の積算処理は、予算・資材単価（実行予算）、建設物価・資材単価（見積）及び購入・資材単価（仕入れ）からなる単価の種類を選択入力するとともに、仮設期間等を設定入力し、資材単価データファイル（４）から抽出した資材単価と、資材解析手段（３）により算出した資材数量に基づき資材積算し、前記単価の種類に応じて仮設面積及び資材重量を含む資材単価データを生成するものである。
【００２４】
また、資材及び工費等積算手段（６）における工費等の積算処理は、歩掛表データファイル（５）から抽出した当該工事における資材ごとの歩掛りと、資材解析手段（３）により算出した資材数量に基づき労務費を含む工費等を積算し、予算（実行予算）、建設物価（見積）及び購入（仕入れ）の種類に応じて労務費、山積み及び工程表を含む工費データ等を生成するものである。
【００２５】
そして、仮設足場工事における資材及び工費等を資材数量を基準として積算するための資材・工費等積算処理プログラムを記録したコンピュータ読み取り可能な記録媒体は、
コンピュータを、
工事を特定可能に階層的に分類した仮設足場の種類を選択入力するための仮設足場選定手段と、
選定した仮設足場の仕様又は構設条件を設定入力するための仕様条件設定手段と、
所定の法規の定めに従って演算処理することにより資材種別とその数量をそれぞれ割り出すための資材解析手段と、
資材単価データファイルと、
仮設足場の種類別かつ資材別の歩掛りを数量化した歩掛表データファイルと、
積算項目について、前記資材単価データファイルから抽出した資材単価とその数量に基づき資材を積算処理し、および／または前記歩掛表データファイルから抽出した当該工事における資材ごとの歩掛りとその数量に基づき工費等を積算処理するための資材及び工費等積算手段と、
前記積算項目に係る少なくとも労務費、資材費、資材重量、資材リスト、山積み、工程表及び仮設面積をそれぞれ編集し表示・出力するための積算項目表示手段と、
積算結果を更新可能に格納するための外部記憶手段
として機能させるようにしている。
【００２６】
【実施例】
本発明の一実施例について添付図面を参照しながら以下説明する。なお、文中の▲１▼〜▲６▼は上記各処理手順と整合する。
【００２７】
図３はタワー足場の（ａ）立面図及び（ｂ）側面図であり、図４は図３（ａ）におけるＡ−Ａ断面図である。参考までに、仮設足場（工事）の規模を理解するために、寸法を付している。
【００２８】
タワー足場について積算する場合を操作手順とともに説明する。なお、下線は選択入力又は設定入力をおこなう項目である。（以下、同じ。）
【００２９】
▲１▼メインメニュー画面のメニューバーから組足場を選択し、かつ、組足場（のプルダウンメニュー）からタワー足場を選択する。＜図５＞
【００３０】
▲２▼タワー足場の初期画面＜図６＞から１．単価表作成を選択すると、当該足場の仕様又は構設条件を設定入力するための数量入力画面＜図７＞、及び単価入力画面＜図８＞を順次表示する。
【００３１】
ここで、単価入力画面＜図８＞では、１．予算・資材単価（実行予算）、２．建設物価・資材単価（見積）、及び３．購入・資材単価（仕入れ）から単価の種類を選択（数値入力）する。
【００３２】
いま、図示するように建設物価・資材単価（見積）を選択し、仮設期間、資材費及び労務費（見積であるので資材ごとの歩掛データは使用せず適宜な単価を入力する）を設定入力すると、▲３▼所定の法規の定めに従って演算処理し、資材種別とその数量をそれぞれ割り出し、▲４▼積算項目について、資材単価データファイルから抽出した資材単価とその数量に基づき資材を積算処理し、仮設資材単価表（１．資材表；２．労務表）を自動生成する。＜図９（ａ）（ｂ）＞＜図１０＞
【００３３】
資材単価データファイルの参照（＝別操作）は、メインメニュー画面＜図５＞のアイコンの資材データ変換を選択して、その内容を開くと、足場資材単価表として資材種別を一覧表示するものである。＜図１１＞
【００３４】
ここで、資材〔例えば、１．単管パイプ（５０００ｍｍ）〕を指定すれば、その単価データが表示できる。＜図１２（ａ）（ｂ）＞
【００３５】
図中、見積単価基本料６５，  見積単価リース料２．４  とあるように、この数値は、＜図９（ａ）  ＞の資材表の名称：単管パイプ、規格：５．０ｍ、単価：１３７（円）  の基礎となるものである。すなわち、単価：１３７  円＝６５円＋２．４  円／日×３０日  ［仮設期間］（＝７２  円）である。
【００３６】
上記積算過程において、▲５▼積算項目に係る少なくとも労務費、資材費、資材重量、資材リスト、及び仮設面積については自動生成（編集及び表示・出力含む。）される。工程表及び山積みについては後述する。
【００３７】
また、タワー足場の初期画面＜図６＞に戻り、２．プリンターを選択して、その内容を開くと、１．タイトル修正、２．条件一覧、及び３．仮設工事明細の選択画面＜図１３＞が表示される。
【００３８】
参考までに、上記実施例における２．条件一覧、及び３．仮設工事明細の帳票出力を示す。＜図１４＞＜図１５＞
【００３９】
一方、メインメニュー画面＜図５＞のアイコンの集計表作成を選択して、その内容を開くと、当該積算処理を含み格納されている一連の積算処理結果を名称（タイトルごとに仮設面積、（総）重量、及び重量／ｍ２について集計し表作成する。＜図１６＞ここで、オプションメニューを選択して画面をスクロールすると、集計表データに対する処理操作をおこなうことができる。＜図１７＞
【００４０】
また、歩掛データについて説明しておく。
【００４１】
歩掛りとは、建設工事における工事別かつ資材別の実績数量を所定の単位ごとに整理した作業能率に関する指標である。
【００４２】
一般に、労務歩掛りとは、作業員１人１日〔＝人工（にんく）〕あたりの作業量であり、足場仮設・解体労務歩掛りをいう場合は、作業員１人１日あたりの資材別組立本数及び資材別解体本数〔本／人工〕である。したがって、歩掛データは足場（工事）の種類によって資材ごとに全て異なる。また、工事を請け負う当業者のノウハウに属する経験的な数値である。
【００４３】
例えば、組足場工事における予算・資材単価（実行予算）について積算する場合、＜図５＞〜＜図７＞を経て＜図１８＞の単価入力画面（＜図８＞に替わる）を開き、予算・資材単価を選択し、仮設期間、資材費及び労務費（人工単価２００００円）を設定入力すると、仮設資材単価表（１．資材表；２．労務表）を自動生成する。＜図１９（ａ）（ｂ）＞＜図２０＞
【００４４】
＜図２０＞において、名称：単管パイプ掛払工費、規格：６．０−５．０ｍ、数量：１６６（本）  、単価：１１９１（円）、金額：１９７７０６（円）  とあるように、その単価に係る数値は、以下の歩掛データを基礎としている。
【００４５】
歩掛データファイルの参照（＝別操作）は、▲４▼メインメニュー画面＜図５＞のアイコンの歩掛データ変換を選択して、その内容を開くと、歩掛メニューとして足場の種類を一覧表示する。＜図２１＞
【００４６】
ここで、足場〔例えば、１．タワー組足場〕と資材〔例えば１．単管パイプ（４．５ｍ−６．０ｍ）  〕を指定すれば、その歩掛データが表示できる。＜図２２＞＜図２３＞＜図２４＞
【００４７】
＜図２４＞に示すように、単管パイプ（４．５ｍ〜６．０ｍ）の組立て（仮設）歩掛りを２４本／人工、及び解体歩掛りを５６本／人工とし、１人工単価（単位労務費）を２００００円とすると、
単管パイプ（４．５ｍ〜６．０ｍ）１本あたりの足場組立て（仮設）労務費は、イ）２００００円／人工÷２４本／人工＝８３３．３３・・円／本となり、
単管パイプ（４．５ｍ〜６．０ｍ）１本あたりの足場解体労務費は、
ロ）２００００円／人工÷５６本／人工＝３５７．１４・・円／本となる。
【００４８】
したがって、仮設・解体労務費（実行予算における単管パイプ掛払工費の単価）は、端数処理して１１９１円／本（イ＋ロ）となる。
【００４９】
参考までに、この内容を反映した２．条件一覧、及び３．仮設工事明細の帳票出力を示す。＜図２５＞＜図２６＞〔すなわち、予算・資材単価（実行予算）について積算処理後、タワー足場の初期画面＜図６＞に戻り、２．プリンターを選択して、その内容を開き、２．条件一覧、又は３．仮設工事明細を選択する。〕
【００５０】
つぎに、工程表及び山積みについて説明する。
【００５１】
上記単管パイプの例にみられるように、資材別に算出した仮設・解体労務費に資材数量を掛け、全資材について積算（合計）した全掛払工費を１人工単価（単位労務費）で除すると、延べ工数が算出できる。
【００５２】
また、延べ工数を作業員の１日あたり可能動員数（山積み）で除すると、工期（日数）が算出できる。
【００５３】
これら山積み及び工程表に係るの積算項目についても表示・出力する。
【００５４】
さらに、▲６▼必要に応じて、積算過程で扱う数値データの一部をＣＡＤによる足場図面作成のための入力源として使用する（データ伝送する）ことができる。
【００５５】
【発明の効果】
この発明は以上の構成よりなるものであり、これによれば仮設足場工事に係る資材及び工費等の積算を資材数量を基準として求めることができるので、信頼性の高い積算処理が可能である。そして、積算根拠、積算履歴及び積算結果を客観的に検証できるので、現状の積算処理を根本的に改善することが可能となる。
【００５６】
しかも、コンピュータ処理によりおこなうので、迅速であり、共通の操作手順で仕様の異なる種々の足場工事に対して所望の積算処理ができるという利点を有する。
【００５７】
また、コンピュータによりこの積算処理手順（手段）を実行（機能）させるための資材・工費等積算処理プログラムを記録したコンピュータ読み取り可能な記録媒体を市場提供することにより、より広範な利用が図れるので、産業上の寄与は極めて大きく有益である。
【図面の簡単な説明】
【図１】本発明の積算方法のフロー図である。
【図２】本発明の積算装置のブロック図である。
【図３】タワー足場の（ａ）立面図及び（ｂ）側面図である。
【図４】図３（ａ）におけるＡ−Ａ断面図である。
【図５】操作画面（メインメニュー）の説明図である。
【図６】操作画面（タワー足場の初期画面）の説明図である。
【図７】操作画面（数値入力）の説明図である。
【図８】操作画面（見積における単価入力）の説明図である。
【図９】見積における仮設資材単価表（資材表）の出力を示す説明図である。
【図１０】見積における仮設資材単価表（労務表）の出力を示す説明図である。
【図１１】足場資材単価表の出力（一覧表示）を示す説明図である。
【図１２】操作画面（単価データ）の説明図である。
【図１３】操作画面（プリンター）の説明図である。
【図１４】帳票出力（見積の条件一覧）の説明図である。
【図１５】帳票出力（見積の仮設工事明細）の説明図である。
【図１６】集計表の出力を示す説明図である。
【図１７】操作画面（集計表のデータ操作）の説明図である。
【図１８】操作画面（実行予算における単価入力）の説明図である。
【図１９】実行予算における仮設資材単価表（資材表）の出力を示す説明図である。
【図２０】実行予算における仮設資材単価表（労務表）の出力を示す説明図である。
【図２１】操作画面（歩掛メニュー）の説明図である。
【図２２】操作画面（歩掛データ操作）の説明図である。
【図２３】操作画面（歩掛データ操作）の説明図である。
【図２４】歩掛データの出力を示す説明図である。
【図２５】帳票出力（実行予算の条件一覧）の説明図である。
【図２６】帳票出力（実行予算の仮設工事明細）の説明図である。
【符号の説明】
１  仮設足場選定手段
２  仕様条件設定手段
３  資材解析手段
４  資材単価データファイル
５  歩掛表データファイル
６  資材及び工費等積算手段
７  積算項目表示手段
８  外部記憶手段
９  ＣＡＤ装置
Ｘ  積算装置
【図１】
0003546344.tif 000002
【図２】
0003546344.tif 000003
【図３】
0003546344.tif 000004
【図４】
0003546344.tif 000005
【図５】
0003546344.tif 000006
【図６】
0003546344.tif 000007
【図７】
0003546344.tif 000008
【図８】
0003546344.tif 000009
【図９】
0003546344.tif 000010
【図１０】
0003546344.tif 000011
【図１１】
0003546344.tif 000012
【図１２】
0003546344.tif 000013
【図１３】
0003546344.tif 000014
【図１４】
0003546344.tif 000015
【図１５】
0003546344.tif 000016
【図１６】
0003546344.tif 000017
【図１７】
0003546344.tif 000018
【図１８】
0003546344.tif 000019
【図１９】
0003546344.tif 000020
【図２０】
0003546344.tif 000021
【図２１】
0003546344.tif 000022
【図２２】
0003546344.tif 000023
【図２３】
0003546344.tif 000024
【図２４】
0003546344.tif 000025
【図２５】
0003546344.tif 000026
【図２６】
0003546344.tif 000027